(57)【要約】【課題】充電器による変換ロスを低減させ、電力消費の節減を図った蓄電システムを提供する。【解決手段】本発明の蓄電システムは、少なくとも太陽電池と、電池モジュールとを備える蓄電システムにおいて、太陽電池で発電された直流電力を充電器をバイパスさせて電池モジュールに供給するバイパス回路及び制御部を有し、制御部は、太陽電池の出力電圧が電池モジュールの端子電圧より第1の所定の値以上高く、かつ第２の所定値以下に低い際に、バイパス回路を介し太陽電池の発電電力を電池モジュールに供給してこの電池モジュールの充電を制御しすることを特徴とする。【選択図】  図５
2011211885.tif 000002
【特許請求の範囲】
【請求項１】
太陽電池と、この太陽電池で発電される直流電力を所定の周波数の交流電力に変換した後屋内交流配線に供給する太陽電池用ＤＣ／ＡＣ変換部と、複数の電池セルを接続して成る電池モジュールと、この電池モジュールに前記直流電力又は前記屋内交流配線を介して得られる交流電力を整流した後の直流電力の少なくともいずれか一方の直流電力を用いて前記電池モジュールを充電する充電器と、前記電池モジュールに充電された直流電力を交流電力に変換して前記屋内交流配線に供給する電池モジュール用ＤＣ／ＡＣ変換部とを備える蓄電システムにおいて、
前記太陽電池で発電された直流電力を前記充電器をバイパスさせて前記電池モジュールに供給するバイパス回路及び制御部を有し、当該制御部は、前記太陽電池の出力電圧が前記電池モジュールの端子電圧より第1の所定の値以上高く、かつ第２の所定値以下に低い際に、前記バイパス回路を介し前記太陽電池の発電電力を前記電池モジュールに供給してこの電池モジュールの充電を制御し、前記太陽電池の出力電圧が前記電池モジュールの電圧以下の際には、前記太陽電池の発電電力を前記充電器を介し前記電池モジュールに供給してこの電池モジュールの充電を制御することを特徴とする蓄電システム。
【請求項２】
第２の所定値は前記電池モジュールの満充電を判断するに相当する電圧であることを特徴とする請求項１に記載の電池モジュール。
【請求項３】
前記太陽電池は複数の太陽電池セルを直列接続又は並列接続に切り換え可能に構成し、この太陽電池の出力電圧が第２の所定値以下の際は直列接続を用いて当該太陽電池の発電を行い、この太陽電池の出力電圧が第２の所定値を超える際は並列接続を用いて当該太陽電池の発電を行うことを特徴とする請求項２に記載の蓄電システム。
【発明の詳細な説明】
【技術分野】
【０００１】
本発明は、蓄電システムに係り、太陽電池、ＤＣ／ＡＣ変換器、および電池モジュール等を備えて構成される蓄電システムに関する。
【背景技術】
【０００２】
この種の蓄電システムは、商用の電力系統から電力が供給される屋内交流配線に、太陽電池の発電電力あるいは電池モジュールの充電電力を重畳して負荷へ電力供給するものであり、発電電力あるいは充電電力が供給される分、系統からの消費電力を少なくすることができ、系統から供給される電力の最大値を下げることができるものである。
【０００３】
この場合、太陽電池の発電電力あるいは電池モジュールの充電電力は直流電力であるため、交流である電力系統との間にＤＣ／ＡＣ変換器（インバータ）を備え、このＤＣ／ＡＣ変換器で直流電力を電力系統と同じ周波数の交流電力に変換してから屋内交流配線に重畳するようしている（特許文献１参照）
また、太陽電池の発電電力は太陽の日射量の変化に応じて変わるため、太陽電池用のＤＣ／ＤＡコンバータではその前段に昇圧を行うＤＣ／ＤＣ回路を備えたもの（パワーコンディショナ）が知られており、この昇圧の際に太陽電池の発電電力が最大になるように昇圧後の電圧と電流の値を調節している。（特許文献２参照）。
さらに、特許文献２では、パワーコンディショナのＤＣ／ＤＣ回路（昇圧回路）とＤＣ／ＡＣ変換器（インバータ）との接続点と電池モジュールとの間に、ＤＣ／ＤＣコンバータ（充電器）を接続させた構成となっている。このＤＣ／ＤＣ変換器（充電器）は、パワーコンディショナを介して出力される太陽電池の出力電圧を昇圧または降圧させて電池モジュールに出力させ、あるいは電池モジュールからの直流電力を一定になるように制御するようになっている。
【先行技術文献】
【特許文献】
【０００４】
【特許文献１】特開平６−２６６４５８号公報
【特許文献２】特開２００２−３５４６７７号公報
【発明の概要】
【発明が解決しようとする課題】
【０００５】
しかし、特許文献２に開示される蓄電システムは、太陽電池からの電力を電池モジュールに充電する際は、常に、ＤＣ／ＤＣコンバータ（充電器）を介してなされる構成となっている。
【０００６】
このことは、太陽電池および電池モジュールの状態の如何に拘わらず、太陽電池から電池モジュールへの充電にあって、常に、ＤＣ／ＤＣコンバータ（充電器）による変換ロスに基づく充電効率の低下が発生することとなる。
【０００７】
本発明は、上記の問題を鑑みてなされたもので、充電器による変換ロスを低減させ、電力消費の節減を図った蓄電システムを提供することにある。
【課題を解決するための手段】
【０００８】
上記課題を解決するために、本発明は、以下の構成として把握される。
【０００９】
太陽電池と、この太陽電池で発電される直流電力を所定の周波数の交流電力に変換した後屋内交流配線に供給する太陽電池用ＤＣ／ＡＣ変換部と、複数の電池セルを接続して成る電池モジュールと、この電池モジュールに前記直流電力又は前記屋内交流配線を介して得られる交流電力を整流した後の直流電力の少なくともいずれか一方の直流電力を用いて前記電池モジュールを充電する充電器と、前記電池モジュールに充電された直流電力を交流電力に変換して前記屋内交流配線に供給する電池モジュール用ＤＣ／ＡＣ変換部とを備える蓄電システムにおいて、前記太陽電池で発電された直流電力を前記充電器をバイパスさせて前記電池モジュールに供給するバイパス回路及び制御部を有し、当該制御部は、前記太陽電池の出力電圧が前記電池モジュールの端子電圧より第1の所定の値以上高く、かつ第２の所定値以下に低い際に、前記バイパス回路を介し前記太陽電池の発電電力を前記電池モジュールに供給してこの電池モジュールの充電を制御し、前記太陽電池の出力電圧が前記電池モジュールの電圧以下の際には、前記太陽電池の発電電力を前記充電器を介し前記電池モジュールに供給してこの電池モジュールの充電を制御するものである。
さらに本発明は、第２の所定値は前記電池モジュールの満充電を判断するに相当する電圧であることを特徴とするものである。
さらに本発明は、前記太陽電池は複数の太陽電池セルを直列接続又は並列接続に切り換え可能に構成し、この太陽電池の出力電圧が第２の所定値以下の際は直列接続を用いて当該太陽電池の発電を行い、この太陽電池の出力電圧が第２の所定値を超える際は並列接続を用いて当該太陽電池の発電を行うものである。
【発明の効果】
【００１０】
このような構成からなる蓄電システムによれば、充電器による変換ロスを低減させ、充電効率の低下を抑制することができる。
【図面の簡単な説明】
【００１１】
【図１】本発明の蓄電システムの実施例１を示す全体概略図である。
【図２】太陽電池の電力で電池モジュールを充電する一実施例を示した回路図である。
【図３】本発明の蓄電システムにおいて充電とＭＰＰＴ制御との関係を示した動作フロー図である。
【図４】本発明の蓄電システムにおいて電池モジュールの充電および太陽電池から屋内交流配線への放電を示した動作フロー図である。
【図５】本発明の蓄電システムの実施例２を示す説明図である。
【図６】本発明の効果を明らかにするための図で、図５の構成を適用しない場合の一例を示す想定図である。
【図７】本発明の効果を明らかにするための図で、図５の構成を適用しない場合の他の例を示す想定図である。
【図８】図５に示した構成においてさらに改良された構成を示す図である。
【図９】図８に示す制御部の動作フロー図である。
【発明を実施するための形態】
【００１２】
以下、本発明の蓄電システムの好適な実施形態について、図面を参照しながら詳細に説明する。なお、各図において、同一の構成要素に対しては、それぞれ同一の符号を付して示している。
【００１３】
まず、図１は本発明の蓄電システムの全体を示す概略図である。この図において、１０は太陽電池であり、太陽電池セルを複数直列接続して構成されている。
【００１４】
太陽電池１０で発電された電力（直流電力）は分配器５０へ供給され太陽電池用ＤＣ／ＡＣ変換器（パワーコンデショナと称される）２０もしくは充電器６０のいずれかへ選択的に供給される。太陽電池用ＤＣ／ＡＣ変換器２０は直流電力を所定の周波数の交流電力に変換した後、屋内交流配線３１へ重畳するものである。この屋内交流配線３１は電流ブレーカーなどを有する分電盤３０を介して電力系統へつながっており、上記所定の周波数はこの電力系統の周波数である。（５０Ｈｚ又は６０Ｈｚである。）
屋内交流配線３１には、たとえばテレビ、エアコン、冷蔵庫等の負荷３２が接続されている。なお、図中、制御器４０は、図示しない前記制御部の一部を構成し、負荷３２に供給される交流電流を検出器（カンレント・トランスなど）４２によって検出し、電圧と共に消費電力を算出する機能を有している。
【００１５】
太陽電池用ＤＣ／ＡＣ変換器２０のより詳細な説明は、後に詳述するが、太陽電池１０での発電電力（電圧と電流の積）が最大となるようにＤＣ/ＤＣコンバータで昇圧する電圧を調節する最大電力追尾制御（ＭＰＰT制御）を行う機能を有している。
【００１６】
また、分配器５０を介して充電器６０へ供給される太陽電池１０の発電電力は電池モジュール７０に蓄電される構成を有している。充電器６０は、たとえばＤＣ／ＤＣコンバータ等から構成され、太陽電池１０から出力される電圧を昇圧あるいは降圧するようになっている。電池モジュール７０は、たとえば鉛電池モジュール、リチウム電池、あるいはその他の電池によって構成されている。
【００１７】
例えば、リチウム電池の場合は、この電池の端子電圧が所定の電圧以下では定電流制御による充電を行い、所定電圧より大きいとは定電圧制御による充電を行い、充電の終了は端子電圧が目標とする充電量に相当する電圧に至った際に判断されるものである。
【００１８】
なお、屋内交流配線３１からの交流電力は、整流器８０を介して整流されて直流電力となった後、充電器６０に供給され前記と同様に電池モジュール７０に充電される。これにより、電池モジュール７０への充電は、必要に応じて屋内交流配線３１からも行えるようになる。すなわち、充電器６０は、太陽電池１０からの直流電力および屋内交流配線３１からの交流電流を整流した直流電力のうちいずれか一方の直流電力を前記電池モジュール７０に充電できるようになっている。
【００１９】
さらに、蓄電器７０からの直流電電力は、電池モジュール用ＤＣ／ＡＣ変換器９０を介して交流電力に変換された後に、スイッチ９１を介して屋内交流配線３１に供給されるようになっている。この交流電力は太陽電池用ＤＣ／ＡＣ変換器２０と同様に直流電力を所定の周波数の交流電力に変換した後、屋内交流配線３１へ重畳するものであり、この所定の周波数も電力系統の周波数である。
電池モジュール用ＤＣ／ＡＣ変換器９０は、制御器４０によって、検出器４２からの出力が入力されるようになっており、この検出器４２が検出する電流に基づいて得られる負荷３２の消費電力が電池モジュール用ＤＣ／ＡＣ変換器９０の出力電力を上回らないように電池モジュール用ＤＣ／ＡＣ変換器９０の動作を制御する信号を出力するものである。これにより電池モジュール７０からの出力による逆潮流を防止するようになっている。
電池モジュール用ＤＣ／ＡＣ変換器９０は、太陽電池用ＤＣ／ＡＣ変換器２０と同様と同様の構成であっても、また異なっていてもよい。なお、電池モジュール用ＤＣ／ＡＣ変換器９０は、太陽電池用ＤＣ／ＡＣ変換器２０と独立したものとして構成されている。すなわち、電池モジュール用ＤＣ／ＡＣ変換器９０の制御と、太陽電池用ＤＣ／ＡＣ変換器２０の制御は、それぞれ、図示しない制御部によって互いに独立して行うようになっている。これにより、太陽電池用ＤＣ／ＡＣ変換器２０における電力変換を太陽電池用ＤＣ／ＡＣ変換器２０に応じて効率よく行うことができ、電池モジュール用ＤＣ／ＡＣ変換器９０における電力変換を電池モジュール７０の電圧に応じて効率よく行うことができる効果を奏する。
【００２０】
図２は、太陽電池の電力で電池モジュールを充電する一実施例を示した回路図である。太陽電池１０の出力電圧が電池モジュール７０の端子電圧より第１の所定の値以上高く、かつ電池モジュール７０の満充電を判断するに相当の電圧（第２の所定の値）以下に低い際に、分配器５０により、太陽電池１０からバイパス回路を通じて、電池モジュール（電池モジュール）７０が直接充電される。
【００２１】
第１の所定の値は電池モジュール７０の端子電圧より数パーセント大きい値である。この値は電池モジュールの満充電容量に対して太陽電池の総出力が充分に大きくなればなるほど大きく設定することが可能になるが太陽電池の出力特性から適に設定することができるものである。
【００２２】
また第２の所定の値は電池モジュール７０が満充電となった際に相当する電圧であり、満充電は蓄電システムの設計において満充電と判断する電圧に相当する電圧で良く、例えば、電池モジュール７０の実際の満充電を１００％とし、この値の９０％位の値を設計上の満充電と定義して用いても良い。
太陽電池１０の出力電圧が電池モジュール７０の電圧以下、または電池モジュール７０の満充電を越える際に、分配器５０により、太陽電池１０の発電電力は、充電器６０に導かれ、所定の値に昇圧、または、降圧されて、電池モジュール７０を充電する。充電器６０を通して充電する場合には、太陽電池１０にＭＰＰＴ（Maximum Power Point Tracking）制御を行うことが可能になる。ここで、ＭＰＰＴ制御は、最大電力追尾制御とも称され、太陽電池１０からの発電電力に応じた最大電力を効率的に取り出すための制御となっている。このような制御は、太陽電池１０の出力電圧−出力電流特性において、出力電圧が所定値に達するまで出力電流は一定であり、出力電圧がこの所定値より高くなると、急激に変化してしまい、また、太陽電池１０の発電電力は日射量の影響を受けて変化してしまう不都合を解消する制御となっている。その制御方法を図３に示す。
【００２３】
図３において、まず、ステップＳ１に示すように、太陽電池用ＤＣ／ＡＣ変換器２０のＤＣ部からの直流電力によって電池モジュール７０に充電がなされているか否かを判定する。充電がなされている場合、ステップＳ２に示すように、コントローラ２３によって太陽電池用ＤＣ／ＡＣ変換器のＤＣ部からの電圧および電流を検出し直流電力（電圧×電流）を計算する。電池モジュール７０に充電がなされていない場合、ステップＳ５に移行し、太陽電池１０からの電力は屋内交流配線３１に放電されるようになる。
次に、ステップＳ３に示すように、今回の直流電力が前回の直流電力より大きいか否かを比較する。今回の直流電力が前回の直流電力より大きい場合、ステップＳ４に示すように、コントローラ２３によって、ＤＣ／ＤＣ回路２１の昇圧電圧を上昇させる方向に駆動する。今回の直流電力が前回の直流電力より大きくない場合はステップＳ６で、ＤＣ／ＤＣ回路２１の昇圧電圧を低下させる方向に駆動した後、ステップＳ１に戻り、以下、動作が繰り返される。
【００２４】
図１に戻り、電池モジュール用ＤＣ／ＡＣ変換器９０は、たとえば太陽電池用ＤＣ／ＡＣ２０と同様の構成となっている。しかし、これに限定されることなく、他の構成からなる電池モジュール用ＤＣ／ＡＣ変換器であってもよい。しかし、上述したように、電池モジュール用ＤＣ／ＡＣ変換器９０の制御と、太陽電池用ＤＣ／ＡＣ変換器２０の制御は、それぞれ、図示しない制御部によって互いに独立して行うようになっている。この場合、電池モジュール用ＤＣ／ＡＣ変換器９０は、屋内交流配線３１から負荷３２へ流れる電流が予め設定された値を超えることなく、作動あるいは変換量が制御されるように構成されている。電池モジュール用ＤＣ／ＡＣ変換器９０は、制御器４０を介した検出器４２からの出力によって上述した制御を行うようになっている。
【００２５】
このような制御をすることによって、電池モジュール用ＤＣ／ＡＣ変換器９０から屋内交流配線３１へ重畳される交流電力が負荷３２の消費電力を超えた際あの余剰電力が電力系統へ逆潮流することを抑制できるものである。
【００２６】
図４は、上述した構成の蓄電システムにおいて、電池モジュール７０への充電、および電池モジュール７０から屋内交流配線３１への放電を示した動作フロー図である。
【００２７】
図４において、まず、ステップＳ１１に示すように、電池モジュール７０からの電力と負荷３２に供給される交流電力とが比較される。ここで、電池モジュール７０からの電力は、たとえば電池モジュールＤＣ／ＡＣ変換器９０から前記屋内交流配線３１へ供給される電力が用いられ、負荷３２に供給される交流電力は、たとえば前記検出器４２によって検出された電力が用いられる。そして、負荷３２に供給される交流電力が、電池モジュール７０からの電力を下回る場合、ステップＳ１２に示すように、電池モジュール７０からの放電量を減らす。例えば、この放電量はインバータ回路におけるＰＷＭ信号を変えて疑似正弦波の電圧を下げることによって行える。
負荷３２に供給される交流電力が、電池モジュール７０からの電力を下回ることのない場合、後述のステップＳ１３に移行するようになっている。
ステップＳ１３では、負荷３２に供給される交流電力と一定値Ｗ１とが比較される。ここで、Ｗ１は電池モジュール７０から放電効率等を考慮して実質的な最少放電量である。負荷３２に供給される交流電力が、一定値Ｗ１を下回る場合、ステップＳ１４に示すように、電池モジュール７０からの放電は停止されるようになる。
負荷３２に供給される交流電力が、Ｗ１を下回ることのない場合はそのまま放電を維持するものである。その後は、ステップＳ１１に戻り、上記の動作が繰り返される。
【００２８】
このように構成された蓄電システムは、太陽電池用ＤＣ／ＡＣ変換器２０と電池モジュール用ＤＣ／ＡＣ変換器９０が別個のものとして構成され、また、それぞれの制御は互いに独立して行うようになっている。このため、太陽電池あるいは電池モジュールからの直流電流をいずれも効率よく交流電流に変換できるようになる。
【００２９】
上述した実施例では、太陽電池１０からの直流電力を電池モジュール７０に充電する場合、太陽電池用ＤＣ／ＡＣ変換器２０のＤＣ部から直流電力を取り出すことができるようになっており、この直流電力は、図１、図２に示したように、電池モジュール７０に充電する構成としたものである。
【００３０】
しかし、図５に示すように、太陽電池用ＤＣ／ＡＣ変換器２０のＤＣ部からの直流電力は、一定の条件の下で、充電器６０を介することなく（充電器６０をバイパスさせて）蓄電池７０に充電する構成となるようにしてもよい。この場合、太陽電池用ＤＣ／ＡＣ変換器２０のＤＣ部から電池モジュール７０に直接に充電する回路を、この明細書ではバイパス回路７１と称する。なお、図５は、図１から、太陽電池１０、太陽電池用ＤＣ／ＡＣ変換器２０、充電器６０、電池モジュール７０、および負荷３２のみを抜き出して示した図となっている。また、図５には、図１において描画していない直並列切換ＢＯＸ１００を配置させた構成としている。しかし、この直並列切換ＢＯＸ１００はなくてもよいものである。
【００３１】
このように構成した蓄電システムは、太陽電池１０から電池モジュール７０へ充電がなされる系統において、太陽電池用ＤＣ／ＡＣ変換器２０によるロス、および充電器６０による変換ロスを少なくでき、電力消費の節減を図ることができる効果を有する。
【００３２】
ちなみに、図６は、太陽電池１０からの電力を、太陽電池用ＤＣ／ＡＣ変換器２０、および充電器６０を介して電池モジュール７０に充電を行う場合を想定して示した図で、図５と対応づけて描画している。この場合、電池モジュール７０に充電がなされる太陽電池からの電力は、太陽電池用ＤＣ／ＡＣ変換器２０、および充電器６０によって大幅な変換ロスを免れない構成となってしまう。また、図７は、太陽電池１０からの電力を直並列切換ＢＯＸ１００の出力側から取り出し、電池モジュール７０に入力させた構成とし、これにより、太陽電池用ＤＣ／ＡＣ変換器２０、および充電器６０を介することなく充電を行うようにし変換ロスを回避させることを想定して描画した図である。
【００３３】
このように図６、図７の構成の比較からも明らかなように、図５に示した構成は、蓄電池１０に充電される電力において、変換ロスを少なくできる。
【００３４】
また、図５においては、電池モジュール７０の充電の効率化を図るため、図示しない制御部によって、次の制御がなされるようになっている。すなわち、太陽電池１０の出力電圧が、組電池の端子電圧より第１の所定の値以上、かつ電池モジュールの第２の所定の値（満充電相当電圧）以下の際に、バイパス回路７１によって太陽電池１０と電池モジュール７０を直結して電池モジュール７０を充電するようにしている。
また、太陽電池１０の出力電圧が、電池モジュールの電圧以下、および電池モジュールの満充電圧より高いかのいずれか一方の際に、バイパス回路７１を通さずに充電器７０を通して電池モジュール７０を充電するようにしている。ここで、電池モジュール７０は、複数の電池セルを直列に接続して構成され、各電池セルの間の電圧を検出でき、少なくとも電池セルの過電圧、過充電、電池モジュールの温度、電池モジュールへの充放電電流を検出できる構成となっている。この場合、前記満充電圧は、電池モジュールへ外部から印加された直流電力の充電電圧で判断することができる。
【００３５】
図８は、図５に示した構成において、太陽電池１０と電池モジュール７０を直結して電池モジュール７０を直接に充電する場合に、太陽電池用ＤＣ／ＡＣ変換器２０における最大電力点と電池モジュール７０の電圧とから、効率的な充電を行い得る構成を示した図である。
【００３６】
図８において、太陽電池１０は、複数の太陽電池セル１２から構成され、そのうちの幾つか（図中上側に示す電池セル）は直列されて接続箱１０１に電力が供給されている。また、残りの太陽電池セル（図中下側に示す太陽電池セル）はスイッチ群１４を介して接続箱１０１に電力が供給されるようになっている。スイッチ群１４の各スイッチは後述する制御部１０４からの信号によってオン・オフされ、これによって任意の個数（ｎ個）の太陽電池セル１２（複数の太陽電池セルを並列に接続したものであっても良い）の直列接続体を構成することができるようになっている。そして、このように任意の個数の太陽電池セル１２の直列接続体からの電力は、電池モジュール７０にダイレクトに充電がなされる構成となっている。
【００３７】
接続箱１０１は、ＰＣＳ１０５を介して屋内交流配線３１に接続されている。ここで、ＰＣＳ１０５は、屋内交流配線３１における電力に太陽電池１０の電力を所定の割合で連携させて屋内交流配線３１に出力するもので、前述の太陽電池用ＤＣ／ＡＣ変換器２０を内蔵して構成されたものとなっている。なお、屋内交流配線３１からの交流電力は、充電器６０を介して電池モジュール７０に充電がなされるようにもなっている。
【００３８】
また、制御部１０４は、図１において図示していない制御部の一部を構成するもので、ＰＣＳ１０５内の太陽電池用ＤＣ／ＡＣ変換器２０における最大電力点と電池モジュール７０の電圧を検知できるようになっている。そして、これら太陽電池用ＤＣ／ＡＣ変換器２０の最大電力点と電池モジュール７０の端子電圧に基づいて演算を行い、この演算結果によってスイッチ群１４の各スイッチのオン・オフを制御するようになっている。これによって、電池モジュール７０に充電する電圧を太陽電池セル１２の個数によって設定することができるようになっている。
【００３９】
図９は、制御部１０４における動作フロー図である。図９において、制御部１０４は、まず、ステップＳ２１に示すように、ＰＣＳ１０５から太陽電池１０の電圧のうち最大電力点の電圧Ｖｓを求める。次に、ステップＳ２２に示すように、電池モジュール７０からその端子電圧（蓄電池電圧）Ｖｂを検出する。次に、制御部１０４は、ステップＳ２３に示すように、検出された電圧Ｖｓと端子電圧Ｖｂによって、Ｖｓ／ｎ＞Ｖｂでありかつ、Ｖｓ／ｎがＶｂに最も近くなるｎを求める。さらに、制御部１０４は、ステップＳ２４に示すように、Ｖｓ／ｎとＶｂの誤差がＸ％以内にあるか否かを判定する。Ｘは予め定めた値で、充電が効率よく行われるか否かによって設定される値となっている。そして、Ｖｓ／ｎとＶｂの誤差がＸ％以内にある場合、ステップＳ２５に示すように、太陽電池１０の太陽電池セル１２のｎ個分を直列接続（ｎ直列）させ、このｎ直列された太陽電池セル１２の発電電力を充電器６０を介することなく電池モジュール７０に供給し、この電池モジュール７０を充電する。その後は、ステップＳ２１に戻り、以下、動作が繰り返される。ステップＳ２４において、Ｖｓ／ｎとＶｂの誤差がＸ％以内になかった場合、ステップＳ２６に示すように、充電器６０を用いた電池モジュール７０の充電を行う。後は、ステップＳ２１に戻り、以下、動作が繰り返される。
【００４０】
以上のように構成した蓄電システムは、太陽電池１０からの電力を電池モジュール７０に充電する際に、一定の条件の下に、充電器６０を介することなく、直接に電池モジュール７０に充電しているために、充電器６０による変換ロスを低減でき、充電効率の低下を抑制を図ることができる。
【００４１】
以上、本発明の好ましい実施例について詳述したが、本発明に係る実施例に限定されるものではなく、特許請求の範囲に記載された本発明の要旨の範囲内において、種々の変形、変更が可能である。
【符号の説明】
【００４２】
１０……太陽電池、１２……太陽電池セル、１４……スイッチ群、２０……太陽電池用ＤＣ／ＡＣ変換器、２１……ＤＣ／ＤＣ回路、２２……インバータ回路、２３……コントローラ、３０……分電盤、３１……屋内交流配線、３２……負荷、４０……制御器、４２……検出器、５０……分配器、６０……充電器、７０……電池モジュール、７１……バイパス回路、８０……整流器、９０……電池モジュール用ＤＣ／ＡＣ変換器、９１……スイッチ、１００……直並列切替ＢＯＸ、１０１……接続箱、１０４……制御部、１０５……ＰＣＳコントローラ。
【図１】
2011211885.tif 000003
【図２】
2011211885.tif 000004
【図３】
2011211885.tif 000005
【図４】
2011211885.tif 000006
【図５】
2011211885.tif 000007
【図６】
2011211885.tif 000008
【図７】
2011211885.tif 000009
【図８】
2011211885.tif 000010
【図９】
2011211885.tif 000011